(57)【要約】より適正に画像を読み取ることができる画像読取装置及びインクジェット記録装置を提供する。画像が記録された記録媒体と画像の一部を読み取る読取範囲とを相対移動させて画像を読み取る画像読取装置は、光源と、光源から射出され記録媒体に向かう光を遮る遮光部と、光源から射出され遮光部に設けられたスリットを通って記録媒体の読取範囲に入射した光の反射光のうちスリットを通った光を検出して、記録媒体に記録された画像を読み取る読取手段と、を備える。
2017006975.tif 000002
【特許請求の範囲】
【請求項１】
画像が記録された記録媒体と当該画像の一部を読み取る読取範囲とを相対移動させて前記画像を読み取る画像読取装置であって、
光源と、
前記光源から射出され前記記録媒体に向かう光を遮る遮光部と、
前記光源から射出され前記遮光部に設けられたスリットを通って前記記録媒体の前記読取範囲に入射した光の反射光のうち当該スリットを通った光を検出して、前記記録媒体に記録された画像を読み取る読取手段と、
を備えることを特徴とする画像読取装置。
【請求項２】
前記スリットは、前記記録媒体における所定の幅方向についての画像の記録可能幅に亘って設けられていることを特徴とする請求項１に記載の画像読取装置。
【請求項３】
前記読取手段は、前記スリットの延在方向に沿って設けられたラインセンサーであることを特徴とする請求項１又は２に記載の画像読取装置。
【請求項４】
前記光源から射出される光及び当該光の前記遮光部における反射光の少なくとも一部を反射して前記スリットに入射させる光反射面を有する光反射部を備えることを特徴とする請求項１〜３の何れか一項に記載の画像読取装置。
【請求項５】
前記遮光部は、当該遮光部の前記記録媒体側とは反対側の表面に入射する光を拡散反射させることを特徴とする請求項４に記載の画像読取装置。
【請求項６】
前記光反射部の前記光反射面は、入射光を拡散反射させることを特徴とする請求項４又は５に記載の画像読取装置。
【請求項７】
前記光反射部は、前記スリットの延在方向と垂直な断面において前記光反射面が凹状であることを特徴とする請求項４〜６の何れか一項に記載の画像読取装置。
【請求項８】
前記スリットの延在方向と直交する方向についての当該スリットの幅は、前記遮光部における前記スリットの記録媒体側とは反対側の端部と前記記録媒体との距離の２倍未満であることを特徴とする請求項４〜７の何れか一項に記載の画像読取装置。
【請求項９】
前記光反射部は、前記読取範囲からの反射光を通過させる光通過部を有し、
前記読取手段は、前記光通過部を通って入射した光の強度を検出する
ことを特徴とする請求項４〜８の何れか一項に記載の画像読取装置。
【請求項１０】
前記画像が読み取られる対象となる記録媒体には、前記読取手段により読み取り可能な凹凸を有する記録媒体が含まれることを特徴とする請求項１〜９の何れか一項に記載の画像読取装置。
【請求項１１】
前記読取手段により読み取り可能な凹凸を有する記録媒体は、布帛及びエンボス加工が施された紙であることを特徴とする請求項１０に記載の画像読取装置。
【請求項１２】
前記記録媒体が少なくとも前記読取手段により前記画像を読み取られる間載置される載置面を有する載置部を備え、
前記載置面は、白色である
ことを特徴とする請求項１〜１１の何れか一項に記載の画像読取装置。
【請求項１３】
記録媒体に対してインクを吐出する記録手段と、
前記記録手段により前記記録媒体に対してインクを吐出させて画像を記録させる記録制御手段と、
請求項１〜１１の何れか一項に記載の画像読取装置と、
前記記録媒体と前記読取範囲とを相対移動させる移動手段と、
前記移動手段により前記記録媒体と前記読取範囲とを相対移動させながら前記画像読取装置により前記画像を読み取らせる読取制御手段と、
を備えることを特徴とするインクジェット記録装置。
【請求項１４】
前記移動手段は、前記記録媒体が少なくとも前記読取手段により前記画像を読み取られる間載置される載置面を有する載置部を備え、
前記載置面は、白色である
ことを特徴とする請求項１３に記載のインクジェット記録装置。
【請求項１５】
前記画像読取装置による所定の検査画像の読取結果に基づいて記録媒体に記録される画像の画像データを補正する補正手段を備えることを特徴とする請求項１３又は１４に記載のインクジェット記録装置。
【発明の詳細な説明】
【技術分野】
【０００１】
本発明は、画像読取装置及びインクジェット記録装置に関する。
【背景技術】
【０００２】
従来、インクを吐出する複数のノズルが設けられた記録ヘッドと記録媒体とを相対移動させながら記録ヘッドの複数のノズルからインクを吐出することにより記録媒体に画像を記録するインクジェット記録装置がある。このようなインクジェット記録装置には、記録媒体に記録された所定の検査画像を当該記録媒体に対して相対移動する画像読取装置により読み取って、記録ヘッドから記録媒体に対して適切にインクが吐出されているか否かを判別することが可能なものがある。【０００３】
この画像読取装置としては、当該画像読取装置と記録媒体との相対移動の方向と交差する幅方向に延びるラインセンサーを有する読取手段と、記録媒体に対して光を照射する光源とを備え、光源から照射された光の記録媒体での反射光を読取手段により検出して、記録媒体のうち幅方向に延びる読取範囲の画像を読み取るものが知られている（例えば特許文献１）。このような画像読取装置では、相対移動する記録媒体に対して適切な間隔で繰り返し画像の読み取り動作を行うことにより記録媒体に記録された画像の全体を読み取ることができる。
【先行技術文献】
【特許文献】
【０００４】
【特許文献１】特開２０１１−６９６５１号公報
【発明の概要】
【発明が解決しようとする課題】
【０００５】
しかしながら、従来の画像読取装置では、記録媒体のうち読取範囲の外側に照射されて拡散反射した光も読取手段に入射するため、読取範囲の外側に記録された画像の濃度が読取手段による読取範囲の読み取り結果に影響して適正に画像を読み取ることができないという課題がある。【０００６】
この発明の目的は、より適正に画像を読み取ることができる画像読取装置及びインクジェット記録装置を提供することにある。
【課題を解決するための手段】
【０００７】
上記目的を達成するため、請求項１に記載の画像読取装置の発明は、
画像が記録された記録媒体と当該画像の一部を読み取る読取範囲とを相対移動させて前記画像を読み取る画像読取装置であって、
光源と、
前記光源から射出され前記記録媒体に向かう光を遮る遮光部と、
前記光源から射出され前記遮光部に設けられたスリットを通って前記記録媒体の前記読取範囲に入射した光の反射光のうち当該スリットを通った光を検出して、前記記録媒体に記録された画像を読み取る読取手段と、
を備えることを特徴としている。【０００８】
請求項２に記載の発明は、請求項１に記載の画像読取装置において、
前記スリットは、前記記録媒体における所定の幅方向についての画像の記録可能幅に亘って設けられていることを特徴としている。【０００９】
請求項３に記載の発明は、請求項１又は２に記載の画像読取装置において、
前記読取手段は、前記スリットの延在方向に沿って設けられたラインセンサーであることを特徴としている。【００１０】
請求項４に記載の発明は、請求項１〜３の何れか一項に記載の画像読取装置において、
前記光源から射出される光及び当該光の前記遮光部における反射光の少なくとも一部を反射して前記スリットに入射させる光反射面を有する光反射部を備えることを特徴としている。【００１１】
請求項５に記載の発明は、請求項４に記載の画像読取装置において、
前記遮光部は、当該遮光部の前記記録媒体側とは反対側の表面に入射する光を拡散反射させることを特徴としている。【００１２】
請求項６に記載の発明は、請求項４又は５に記載の画像読取装置において、
前記光反射部の前記光反射面は、入射光を拡散反射させることを特徴としている。【００１３】
請求項７に記載の発明は、請求項４〜６の何れか一項に記載の画像読取装置において、
前記光反射部は、前記スリットの延在方向と垂直な断面において前記光反射面が凹状であることを特徴としている。【００１４】
請求項８に記載の発明は、請求項４〜７の何れか一項に記載の画像読取装置において、
前記スリットの延在方向と直交する方向についての当該スリットの幅は、前記遮光部における前記スリットの記録媒体側とは反対側の端部と前記記録媒体との距離の２倍未満であることを特徴としている。【００１５】
請求項９に記載の発明は、請求項４〜８の何れか一項に記載の画像読取装置において、
前記光反射部は、前記読取範囲からの反射光を通過させる光通過部を有し、
前記読取手段は、前記光通過部を通って入射した光の強度を検出する
ことを特徴としている。【００１６】
請求項１０に記載の発明は、請求項１〜９の何れか一項に記載の画像読取装置において、
前記画像が読み取られる対象となる記録媒体には、前記読取手段により読み取り可能な凹凸を有する記録媒体が含まれることを特徴としている。【００１７】
請求項１１に記載の発明は、請求項１０に記載の画像読取装置において、
前記読取手段により読み取り可能な凹凸を有する記録媒体は、布帛及びエンボス加工が施された紙であることを特徴としている。【００１８】
請求項１２に記載の発明は、請求項１〜１１の何れか一項に記載の画像読取装置において、
前記記録媒体が少なくとも前記読取手段により前記画像を読み取られる間載置される載置面を有する載置部を備え、
前記載置面は、白色である
ことを特徴としている。【００１９】
また、上記目的を達成するため、請求項１３に記載のインクジェット記録装置の発明は、
記録媒体に対してインクを吐出する記録手段と、
前記記録手段により前記記録媒体に対してインクを吐出させて画像を記録させる記録制御手段と、
請求項１〜１１の何れか一項に記載の画像読取装置と、
前記記録媒体と前記読取範囲とを相対移動させる移動手段と、
前記移動手段により前記記録媒体と前記読取範囲とを相対移動させながら前記画像読取装置により前記画像を読み取らせる読取制御手段と、
を備えることを特徴としている。【００２０】
請求項１４に記載の発明は、請求項１３に記載のインクジェット記録装置において、
前記移動手段は、前記記録媒体が少なくとも前記読取手段により前記画像を読み取られる間載置される載置面を有する載置部を備え、
前記載置面は、白色である
ことを特徴としている。【００２１】
請求項１５に記載の発明は、請求項１３又は１４に記載のインクジェット記録装置において、
前記画像読取装置による所定の検査画像の読取結果に基づいて記録媒体に記録される画像の画像データを補正する補正手段を備えることを特徴としている。
【発明の効果】
【００２２】
本発明に従うと、より適正に画像を読み取ることができるという効果がある。
【図面の簡単な説明】
【００２３】
【図１】本発明の実施形態であるインクジェット記録装置の概略構成を示す図である。
【図２】インクジェット記録装置の主要な機能構成を示すブロック図である。
【図３Ａ】搬送部により搬送されている記録媒体と対向した状態の画像読取部の模式斜視図である。
【図３Ｂ】画像読取部のＸ方向と垂直な面での模式断面図である。
【図３Ｃ】図３Ｂの一部を拡大して示す模式断面図である。
【図４】遮光部のうちスリットを含む部分を示す模式平面図である。
【図５】記録媒体に記録される検査画像の例を示す図である。
【図６】画像補正パラメーター取得処理の制御手順を示すフローチャートである。
【図７】画像記録処理の制御手順を示すフローチャートである。
【図８】変形例に係る画像読取部の模式断面図である。
【発明を実施するための形態】
【００２４】
以下、本発明の画像読取装置及びインクジェット記録装置に係る実施の形態を図面に基づいて説明する。
【００２５】
図１は、本発明の実施形態であるインクジェット記録装置１の概略構成を示す図である。
インクジェット記録装置１は、給紙部１０と、画像記録部２０と、排紙部３０と、制御部４０（図２）とを備える。インクジェット記録装置１は、制御部４０による制御下で、給紙部１０に格納された記録媒体Ｍを画像記録部２０に搬送し、画像記録部２０で記録媒体Ｍに画像を記録し、画像が記録された記録媒体Ｍを排紙部３０に搬送する。本実施形態では、記録媒体Ｍとして布帛やエンボス加工が施された紙といった表面に凹凸を有する媒体が好ましく用いられる。
【００２６】
給紙部１０は、記録媒体Ｍを格納する給紙トレー１１と、給紙トレー１１から画像記録部２０に記録媒体Ｍを搬送して供給する媒体供給部１２と、受け渡しドラム１３とを有する。
媒体供給部１２は、内側が２本のローラー１２１，１２２により支持された輪状のベルト１２３を備える。媒体供給部１２は、ベルト１２３上に記録媒体Ｍを載置した状態でローラー１２１，１２２を回転させることで記録媒体Ｍを搬送する。
受け渡しドラム１３は、媒体供給部１２により搬送された記録媒体Ｍを画像記録部２０の搬送部２１（移動手段）に引き渡す。受け渡しドラム１３は、媒体供給部１２と搬送部２１との間の位置に設けられ、媒体供給部１２により搬送された記録媒体Ｍの一端を保持して取り上げて搬送部２１に引き渡す。なお、媒体供給部１２と受け渡しドラム１３との間に、媒体供給部１２から受け渡しドラム１３へ記録媒体Ｍを受け渡すスイングアーム部が設けられていてもよい。
なお、給紙部１０の構成は上記に限られず、例えば記録媒体Ｍが巻かれたロールから記録媒体Ｍを引き出して搬送部２１に搬送する構成であっても良い。
【００２７】
画像記録部２０は、搬送部２１と、加熱部２２と、ヘッドユニット２３（記録手段）と、定着部２４と、画像読取部２５とを有する。このうちの画像読取部２５により画像読取装置が構成される。なお、画像読取部２５に加えて搬送部２１が画像読取装置に含まれても良い。
【００２８】
搬送部２１は、図１のＸ方向に延びる回転軸を中心に回転する２本の搬送ローラー２１１，２１２により内側が支持された輪状の搬送ベルト２１３（載置部）を備える。搬送部２１は、搬送ベルト２１３の載置面上に受け渡しドラム１３から引き渡された記録媒体Ｍが載置された状態で搬送ローラー２１１，２１２が回転して搬送ベルト２１３が移動することで記録媒体Ｍを搬送ベルト２１３の移動方向（搬送方向；図１のＹ方向）に搬送する。
また、搬送ベルト２１３は、その載置面が白色の部材により構成されている。あるいは、搬送ベルト２１３の載置面が白色に塗装されていても良い。ここで、白色には、載置面に純白の記録媒体Ｍを載置して画像読取部２５により読み取って得られた撮像データにおいて、記録媒体Ｍを透過して載置面で反射した光が検出された部分の明度と記録媒体Ｍの表面で反射した光が検出された部分の明度とが識別されない場合における当該載置面の色が含まれる。
【００２９】
加熱部２２は、搬送ベルト２１３の載置面に載置された記録媒体Ｍを加熱する。加熱部２２は、例えば赤外線ヒーター等を有し、制御部４０から供給される制御信号に基づいて赤外線ヒーターに通電して発熱する。加熱部２２は、搬送ベルト２１３の載置面の近傍であって、記録媒体Ｍの搬送方向についてヘッドユニット２３の上流側に位置するよう設けられる。加熱部２２は、搬送ベルト２１３の載置面に載置されて加熱部２２の近傍を通過する記録媒体Ｍが所定範囲内の温度となるようにその発熱を制御部４０により制御される。
【００３０】
ヘッドユニット２３は、記録媒体Ｍが載置された搬送ベルト２１３の周回移動に応じて記録媒体Ｍに対してインクを吐出して画像を記録する。ヘッドユニット２３は、インク吐出面が搬送ベルト２１３に対向して所定の距離を置いて配置される。本実施形態のインクジェット記録装置１では、イエロー（Ｙ）、マゼンタ（Ｍ）、シアン（Ｃ）、ブラック（Ｋ）の４色のインクにそれぞれ対応する４つのヘッドユニット２３が記録媒体Ｍの搬送方向上流側からＹ，Ｍ，Ｃ，Ｋの色の順に所定の間隔で並ぶように配列されている。
【００３１】
各ヘッドユニット２３は、複数の記録素子が記録媒体Ｍの搬送方向と交差する方向（本実施形態では搬送方向と直交する方向、即ちＸ方向）に各々配列された複数（例えば４つ）の記録ヘッド２３２（図２）と、記録ヘッド２３２を駆動する記録ヘッド駆動部２３１（図２）とを備える。
記録ヘッド駆動部２３１は、各記録ヘッド２３２に対して画像データに応じた駆動波形の電圧信号を供給する駆動回路と、この駆動回路に適切なタイミングで画像データを供給する駆動制御回路とを有する。
記録ヘッド２３２に含まれる記録素子の各々は、インクを貯留する圧力室と、圧力室の壁面に設けられた圧電素子と、ノズルとを含む。記録ヘッド駆動部２３１の駆動回路から圧電素子に当該圧電素子を変形動作させる駆動波形の電圧信号が印加されると、この電圧信号に応じて圧力室内の圧力が変化し、圧力室に連通するノズルからインクが吐出される。
ヘッドユニット２３に含まれる記録素子のＸ方向についての配置範囲は、搬送部２１により搬送される記録媒体Ｍのうち画像が記録される領域のＸ方向の幅をカバーしており、ヘッドユニット２３は、画像の記録時には搬送部２１に対して位置が固定されて用いられる。即ち、インクジェット記録装置１は、シングルパス形式のインクジェット記録装置である。
【００３２】
記録ヘッド２３２から吐出されるインクとしては、温度によってゲル状又はゾル状に相変化し、また紫外線等のエネルギー線を照射することにより硬化する性質を有するものが用いられる。
各ヘッドユニット２３は、図示しないインク加熱部を備える。当該インク加熱部は、制御部４０による制御下で動作し、ヘッドユニット２３内に貯留されるインクをゾル状となる温度に加熱する。記録ヘッド２３２は、加熱されてゾル状となったインクを吐出する。
【００３３】
定着部２４は、搬送ベルト２１３のＸ方向の幅に亘って配置された発光部を有し、搬送ベルト２１３に載置された記録媒体Ｍに対して当該発光部から紫外線等のエネルギー線を照射して記録媒体Ｍ上に吐出されたインクを硬化させて定着させる。定着部２４の発光部は、搬送方向についてヘッドユニット２３の下流側に搬送ベルト２１３と対向して配置される。
【００３４】
画像読取部２５は、定着部２４によるインクの定着位置よりも記録媒体Ｍに対して搬送方向下流側の位置において、搬送ベルト２１３に対向して配置され、搬送ベルト２１３により搬送される記録媒体Ｍに記録されている画像を所定の読取範囲で読み取って当該画像の２次元撮像データを出力する。画像読取部２５の詳細な構成及び動作については後述する。
【００３５】
排紙部３０は、受け渡しドラム３１と、デリバリー部３２と、排紙トレー３３とを有する。
受け渡しドラム３１は、搬送部２１により搬送された記録媒体Ｍを画像読取部２５の搬送方向下流側で受け取ってデリバリー部３２に引き渡す。なお、搬送部２１からデリバリー部３２へ記録媒体Ｍを受け渡す機構は受け渡しドラム３１を用いたものに限られず、他の公知の機構を用いてもよい。
デリバリー部３２は、内側が２本の搬送ローラー３２１，３２２により支持された輪状のベルト３２３を有し、受け渡しドラム３１により搬送部２１からベルト３２３上に受け渡された記録媒体Ｍをベルト３２３により搬送して排紙トレー３３に送出する。
排紙トレー３３は、デリバリー部３２により搬送された記録媒体Ｍが載置される板状の部材である。
なお、排紙部３０の構成は上記のものに限られない。例えば、給紙部１０がロールから記録媒体Ｍを引き出して搬送する構成である場合には、排紙部３０は、当該記録媒体Ｍをロールに巻き取る巻き取り部を有した構成であっても良い。
【００３６】
図２は、インクジェット記録装置１の主要な機能構成を示すブロック図である。
インクジェット記録装置１は、ＣＰＵ４１（Central Processing Unit）（記録制御手段、読取制御手段、補正手段）、ＲＡＭ４２（Random Access Memory）、ＲＯＭ４３（Read Only Memory）及び記憶部４４を有する制御部４０と、加熱部２２と、ヘッドユニット２３の記録ヘッド２３２を駆動する記録ヘッド駆動部２３１と、定着部２４と、画像読取部２５と、搬送駆動部５１と、操作表示部５２と、インターフェース５３と、バス５４などを備える。
【００３７】
ＣＰＵ４１は、ＲＯＭ４３に記憶された各種制御用のプログラムや設定データを読み出してＲＡＭ４２に記憶させ、当該プログラムを実行して各種演算処理を行う。ＣＰＵ４１は、これによりインクジェット記録装置１の全体動作を統括制御する。例えば、ＣＰＵ４１は、記憶部４４に記憶された画像データに基づいて給紙部１０、画像記録部２０及び排紙部３０の各部を動作させて記録媒体Ｍに画像を記録させる。
【００３８】
ＲＡＭ４２は、ＣＰＵ４１に作業用のメモリー空間を提供し、一時データを記憶する。また、ＲＡＭ４２には、後述する画像補正パラメーター取得処理において取得される画像補正パラメーターが記憶される。なお、ＲＡＭ４２は、不揮発性メモリーを含んでいてもよい。
【００３９】
ＲＯＭ４３は、ＣＰＵ４１により実行される各種制御用のプログラムや設定データ等を格納する。当該プログラムには、例えば、画像データの補正に用いる画像補正パラメーターを取得する画像補正パラメーター取得プログラムや、画像データを補正し、当該補正された画像データを用いて記録媒体Ｍに画像を記録させる画像記録プログラムが含まれている。なお、ＲＯＭ４３に代えてＥＥＰＲＯＭ（Electrically Erasable Programmable Read Only Memory）やフラッシュメモリー等の書き換え可能な不揮発性メモリーが用いられてもよい。
【００４０】
記憶部４４は、ＤＲＡＭ（Dynamic Random Access Memory）等で構成される。記憶部４４には、インターフェース５３を介して外部装置２から入力された画像データ、及び記録媒体Ｍに記録された画像の画像読取部２５による撮像データが記憶される。
【００４１】
搬送駆動部５１は、ＣＰＵ４１から供給される制御信号に基づいて搬送部２１の搬送ローラー２１１，２１２を動作させるためのモーターに駆動信号を供給して搬送ローラー２１１，２１２を所定の速度及びタイミングで回転させる。また、搬送駆動部５１は、ＣＰＵ４１から供給される制御信号に基づいて媒体供給部１２、受け渡しドラム１３，３１及びデリバリー部３２を動作させるためのモーターに駆動信号を供給して、記録媒体Ｍの搬送部２１への供給及び搬送部２１からの排出を行わせる。
【００４２】
記録ヘッド駆動部２３１は、ＣＰＵ４１から供給される制御信号及び画像データに基づいて記録ヘッド２３２にインクの吐出を行わせる。詳しくは、ＣＰＵ４１から制御信号及び画像データが供給されると、記録ヘッド駆動部２３１の駆動制御回路は、駆動回路により記録ヘッド２３２の記録素子の圧電素子に駆動波形の電圧信号を出力させて、記録素子のノズルから画像データに応じた量のインクが吐出される吐出動作、又は画像データがインクの非吐出に対応する場合や複数の画像記録動作のインターバルにおいて実行されるインクが吐出されない非吐出動作を記録ヘッド２３２に行わせる。
【００４３】
操作表示部５２は、液晶ディスプレイや有機ＥＬディスプレイといった表示装置と、操作キーや、表示装置の画面に重ねられて配置されたタッチパネルといった入力装置とを備える。操作表示部５２は、表示装置において各種情報を表示させ、また入力装置に対するユーザーの入力操作を操作信号に変換して制御部４０に出力する。
【００４４】
インターフェース５３は、外部装置２との間でデータの送受信を行う手段であり、例えば各種シリアルインターフェース、各種パラレルインターフェースのいずれか又はこれらの組み合わせで構成される。
【００４５】
外部装置２は、例えばパーソナルコンピューターであり、インターフェース５３を介して画像記録命令及び画像データ等を制御部４０に供給する。
【００４６】
次に、画像読取部２５の詳細な構成について説明する。
【００４７】
図３Ａ〜図３Ｃは、画像読取部２５の構成を示す模式図である。図３Ａは、搬送部２１により搬送されている記録媒体Ｍと対向した状態の画像読取部２５の模式斜視図であり、図３Ｂは、画像読取部２５のＸ方向と垂直な面での模式断面図であり、図３Ｃは、図３Ｂの一部を拡大して示す模式断面図である。
【００４８】
画像読取部２５は、遮光部２５１と、反射板２５２（光反射部）と、光源２５３と、撮像素子２５４（光検出素子）を有するラインセンサー２５５（読取手段）とを備える。
遮光部２５１は、搬送ベルト２１３の載置面と平行に配置された矩形の板状部材である。遮光部２５１には、Ｙ方向の中央部において搬送方向と交差する幅方向（本実施形態ではＸ方向）に延びるスリット２５１ａが設けられている。スリット２５１ａは、遮光部２５１の面と垂直な方向（Ｚ方向）から見て、画像読取部２５により画像の読み取りが行われる読取範囲Ｒ（図３Ｃ、図４）を包含する領域に設けられている。また、スリット２５１ａは、記録媒体Ｍにおける当該スリット２５１ａの延在方向についての画像の記録可能幅に亘って設けられている。また、遮光部２５１は、スリット２５１ａのＹ方向の中央部と、読取範囲ＲのＹ方向の中央部とが一致するように配置されている。遮光部２５１は、スリット２５１ａに入射した光を通過させる一方、スリット２５１ａ以外の面に入射した光を遮光する。遮光部２５１は、記録媒体Ｍと対向する面とは反対側の面（以下では上面と記す）が入射光を拡散反射させる特性を有する光拡散反射面となっている。この光拡散反射面は、遮光部２５１の遮光性を有する部材により構成されていても良いし、遮光部２５１が、遮光性を有する部材と、当該部材に重ねられて配置された光反射部材とを備える態様において当該光反射部材により構成されていても良い。
また、図３Ｃに示されるように、遮光部２５１は、スリット２５１ａのＹ方向の幅をＬ、遮光部２５１におけるスリット２５１ａの記録媒体Ｍ側とは反対側の端部（本実施形態では遮光部２５１の上面）と当該遮光部２５１と対向している記録媒体Ｍとの距離をＤとした場合に、Ｌ＜２Ｄの関係が満たされるようにスリット２５１ａが設けられ、また搬送ベルト２１３の載置面との位置関係が調整されている。これにより、スリット２５１ａを通って読取範囲ＲのうちＹ方向の中央部に入射する光の入射角θが４５°未満となる。また、スリット２５１ａのＹ方向の幅Ｌは、例えば２ｍｍ以上１０ｍｍ以下の範囲とされる。
【００４９】
反射板２５２は、図３Ａに示されるように、円筒形状の部材を軸を通る平面で切断して得られる半円筒形状を有し、当該切断した位置に相当する部分が遮光部２５１に取り付けられている。また、図３Ｂに示されるように、反射板２５２は、Ｘ方向と垂直な断面における内面がアーチ状（凹状）である。反射板２５２の内面（光反射面）は、遮光部２５１の上面と同様の光拡散反射面となっている。反射板２５２のうちＺ方向から見て遮光部２５１のスリット２５１ａと重なる位置には、Ｘ方向に延びる開口部２５２ａ（光通過部）が設けられている。
なお、反射板２５２の形状は上記に限られず、円柱面状の部材を軸方向に沿って軸を通らない平面で切断して得られるような形状や、Ｘ方向と垂直な面での断面が２次曲線となるような形状であっても良い。
【００５０】
光源２５３は、遮光部２５１のＹ方向の両端部に配置されたＸ方向に延びる基板２５７上に取り付けられたＬＥＤ（Light Emitting Diode）である。光源２５３は、Ｘ方向に複数個（例えば１０個）配列されて列をなしており、各基板２５７上には、この光源２５３の列が２列配置されている。
光源２５３は、反射板２５２の内面に向けて光を射出する。光源２５３から射出されて反射板２５２の内面で拡散反射された光は、一部が遮光部２５１のスリット２５１ａを通って搬送ベルト２１３上の記録媒体Ｍの面に入射し、残りの一部は遮光部２５１の上面や反射板２５２の内面で多重反射する。この多重反射した光の一部もスリット２５１ａを通って記録媒体Ｍの面に入射する。
なお、光源２５３の配置位置は上記に限られず、反射板２５２の内面に向けて光を射出することが可能な位置の中から適宜選択することができる。
【００５１】
ラインセンサー２５５は、反射板２５２の外面のうちＺ方向から見て開口部２５２ａと重なる位置に取り付けられている。ラインセンサー２５５は、Ｘ方向に所定の配置間隔で配列された複数の撮像素子２５４を備える。各撮像素子２５４は、光源２５３から射出されスリット２５１ａを通って記録媒体Ｍの面に入射した光の反射光のうちスリット２５１ａ及び開口部２５２ａを通った光の一部を受光してその強度を検出する。
撮像素子２５４としては、例えば光電変換素子としてフォトダイオードを備えるＣＭＯＳ（Complementary Metal Oxide Semiconductor）センサー又はＣＣＤ（Charge Coupled Device）センサー等を用いることができる。また、ラインセンサー２５５は、撮像素子２５４から出力されたアナログ信号をデジタル信号の撮像データに変換して制御部４０に出力する回路を備える。
本実施形態では、記録媒体Ｍの表面における凹凸の当該表面に平行な面方向についての大きさより小さな空間分解能を有するラインセンサー２５５が用いられている。ここで、記録媒体Ｍの表面における凹凸の大きさは、例えば当該凹凸のうち一の凹部の中心と当該凹部に最も近い凸部の中心との記録媒体Ｍの面方向についての距離、又はその平均値で表される。また、凹部の中心は、例えば当該凹部のうち面方向に垂直な方向の高さが最も低い点とすることができ、凸部の中心は、当該凸部のうち面方向に垂直な方向の高さが最も高い点とすることができる。本実施形態では、ラインセンサー２５５から出力される撮像データのＸ方向及びＹ方向の解像度は、５４０ｄｐｉである。
ラインセンサー２５５は、搬送部２１により搬送されている記録媒体Ｍが読取範囲Ｒを通過している状態において、記録媒体Ｍの搬送速度及びラインセンサー２５５の解像度に応じた適切な間隔で入射光の強度を検出する。これにより、ラインセンサー２５５は、記録媒体Ｍに記録された画像を読取範囲Ｒに搬送された順に読み取って画像全体の撮像データを制御部４０に出力する。
なお、搬送部２１は、ラインセンサー２５５による撮像のタイミングで記録媒体Ｍが一時停止するように記録媒体Ｍを搬送しても良い。このように一時停止した状態の記録媒体Ｍも、搬送部２１により搬送されている記録媒体Ｍに含まれるものとする。
【００５２】
図４は、遮光部２５１のうちスリット２５１ａを含む部分を示す模式平面図である。図４では、記録媒体Ｍが読取範囲Ｒを通過しており、スリット２５１ａから記録媒体Ｍの一部が露出している状態が示されている。
【００５３】
本実施形態の画像読取部２５では、反射板２５２により拡散反射されて記録媒体Ｍに向けて照射された光は、スリット２５１ａに入射した光を除き、遮光部２５１により遮られて記録媒体Ｍには入射しない。このため、記録媒体Ｍの画像形成可能領域のうちスリット２５１ａが設けられた範囲を除く領域Ｓには光源２５３からの光がほとんど進入しない。また、光源２５３からの光の一部が領域Ｓに進入したとしてもその光はラインセンサー２５５にはほとんど入射しない。これにより、ラインセンサー２５５による読取範囲Ｒの画像の読取結果は、領域Ｓに形成された画像の濃度により影響を受けないため、適正な画像の読み取りが可能となっている。また、遮光部２５１によるこのような効果は、スリット２５１ａのＹ方向の幅Ｌが小さいほど大きくなる。
【００５４】
次に、インクジェット記録装置１において行われる画像データの補正動作について説明する。
ヘッドユニット２３の各記録ヘッド２３２から画像データのうち同一の階調値の画素データに基づいて吐出されるインクの量は、均一であることが望まれるが、各記録素子の圧電素子の特性の差異などに起因してばらつくことがある。この場合、均一な階調値の画素データからなる画像データ（べた画像データ）に基づいて記録媒体Ｍに画像を記録しても記録された画像に濃度むらが生じるという問題がある。
そこで、本実施形態のインクジェット記録装置１では、ヘッドユニット２３により記録媒体Ｍに検査に応じて適切な所定の検査画像が記録され、この検査画像の画像読取部２５による読取結果に基づいて上記の濃度むらが解消されるように画像データの補正が行われる。
【００５５】
図５は、記録媒体Ｍに記録される検査画像６０の例を示す図である。検査画像６０は、Ｙ，Ｍ，Ｃ，Ｋの各色に対応するヘッドユニット２３の記録ヘッド２３２によりそれぞれ記録され、Ｙ方向に順に配置された階調パターン６１Ｙ，６１Ｍ，６１Ｃ，６１Ｋ（以下では単に階調パターン６１とも記す）を含む。各階調パターン６１は、記録媒体Ｍが搬送されるに伴い記録ヘッド２３２のノズルから吐出されるインクの量を段階的に増加又は減少させることにより形成された画像である。階調パターン６１により、記録媒体Ｍに吐出されるインクの量の多少による色の濃淡の再現性を確認することができる。
なお、記録媒体Ｍにおける各階調パターン６１の位置関係等、具体的な態様は適宜変更可能である。
【００５６】
以下では、インクジェット記録装置１で記録される画像の画像データを補正する際に用いられる画像補正パラメーターを取得する画像補正パラメーター取得処理、及び画像データを補正して画像を記録する画像記録処理について説明する。
【００５７】
図６は、画像補正パラメーター取得処理の制御手順を示すフローチャートである。
画像補正パラメーター取得処理が開始されると、ＣＰＵ４１は、所定の検査画像データに基づいて給紙部１０及び画像記録部２０の各部を動作させて搬送部２１により搬送される記録媒体Ｍに対してヘッドユニット２３によりインクを吐出させて検査画像を記録させる（ステップＳ１１）。詳しくは、ＣＰＵ４１は、搬送駆動部５１に制御信号を供給して媒体供給部１２及び受け渡しドラム１３により記録媒体Ｍを搬送ベルト２１３の載置面上に載置させ、搬送ベルト２１３を周回移動させて記録媒体Ｍを搬送させる。そして、ＣＰＵ４１は、検査画像データ及び制御信号を記録ヘッド駆動部２３１に供給して、搬送ベルト２１３の移動に応じた適切なタイミングで記録ヘッド駆動部２３１により駆動波形の電圧信号を記録ヘッド２３２に出力させることで、搬送部２１により搬送される記録媒体Ｍ上にヘッドユニット２３のノズルからインクを吐出させて記録媒体Ｍに検査画像を記録させる。
【００５８】
ＣＰＵ４１は、搬送部２１により記録媒体Ｍを搬送させながら画像読取部２５により適切な間隔で繰り返し記録媒体Ｍの検査画像を読み取らせ、検査画像の撮像データを取得して記憶部４４に記憶させる（ステップＳ１２）。検査画像が撮像された記録媒体Ｍは、ＣＰＵ４１による制御下で排紙部３０に搬送される。
【００５９】
ＣＰＵ４１は、ステップＳ１２で得られた撮像データを解析して、インクジェット記録装置１で記録される画像の画像データを補正するための画像補正パラメーターを算出する（ステップＳ１３）。即ち、ＣＰＵ４１は、撮像データに含まれる各階調パターン６１のＹ方向についての濃度分布を各記録ヘッド２３２と対応する部分ごとに取得し、当該濃度分布の所定の濃度分布からの乖離を修正するための画像補正パラメーターを取得する。例えば、ＣＰＵ４１は、各階調パターン６１のＹ方向についての濃度分布からガンマ値を取得し、当該ガンマ値、又は当該ガンマ値と所定の濃度分布に対応するガンマ値との比を各記録ヘッド２３２と対応する部分ごとに画像補正パラメーターとして取得する。
ＣＰＵ４１は、得られた画像補正パラメーターに係るデータをＲＡＭ４２に記憶させ、画像補正パラメーター取得処理を終了させる。
【００６０】
次に、インクジェット記録装置１において実行される画像記録処理について説明する。この画像記録処理では、画像補正パラメーター取得処理で取得された画像補正パラメーターを用いて画像データを補正し、この画像データを用いて記録媒体Ｍへの画像の記録が行われる。
【００６１】
図７は、画像記録処理の制御手順を示すフローチャートである。
ＣＰＵ４１は、ステップＳ１３でＲＡＭ４２に記憶された画像補正パラメーターを取得する（ステップＳ２１）。
【００６２】
ＣＰＵ４１は、取得された画像補正パラメーターを用いてインクジェット記録装置１により記録される画像の画像データを補正する（ステップＳ２２）。ＣＰＵ４１は、画像補正パラメーターを用いて各記録ヘッド２３２と対応する部分の画像データのガンマ補正を行う。詳しくは、ＣＰＵ４１は、記録媒体Ｍに記録された画像のガンマ値が所定値となるよう、画像補正パラメーターが示すガンマ値（又はガンマ値と所定の濃度分布に対応するガンマ値との比）に基づいて画像データの階調値を補正する。
ＣＰＵ４１は、補正された画像データを記憶部４４に記憶させる。
【００６３】
ＣＰＵ４１は、搬送部２１により記録媒体Ｍを搬送させながら補正された画像データに基づく画像をヘッドユニット２３により記録させる（ステップＳ２３）。これにより、記録媒体Ｍには、記録ヘッド２３２ごとの濃度むらが抑制された所定のガンマ値の画像が記録される。このステップＳ２３における各部の動作は、使用する画像データを除いてステップＳ１１と同様である。
ステップＳ２３の処理が終了すると、ＣＰＵ４１は、画像記録処理を終了させる。
【００６４】
なお、上記では、画像データの各記録ヘッド２３２と対応する部分についてそれぞれガンマ補正を行う例を用いて説明したが、これに代えて、例えば図５の各階調パターン６１の撮像データにおけるＸ方向についての明度のばらつきに基づいて、当該明度が均一となるように、一の記録ヘッド２３２と対応する画像データを基準として他の記録ヘッド２３２と対応する画像データの階調値を補正しても良い。
【００６５】
以上のように、本実施形態に係る画像読取部２５は、画像が記録された記録媒体Ｍと当該画像の一部を読み取る読取範囲Ｒとを相対移動させて画像を読み取る画像読取部２５であって、光源２５３と、光源２５３から射出され記録媒体Ｍに向かう光を遮る遮光部２５１と、光源２５３から射出され遮光部２５１に設けられたスリット２５１ａを通って記録媒体Ｍの読取範囲Ｒに入射した光の反射光のうちスリット２５１ａを通った光を検出して、記録媒体Ｍに記録された画像を読み取るラインセンサー２５５と、を備える。このような構成によれば、光源２５３から射出され記録媒体Ｍに向かう光は、遮光部２５１によって一部が絞られてスリット２５１ａを通った光の一部のみが記録媒体Ｍの読取範囲Ｒに入射する。また、記録媒体Ｍの面で反射した光は、スリット２５１ａ以外の部分からはラインセンサー２５５に入射しない。この結果、記録媒体Ｍのうち読取範囲Ｒの外側で反射した光のラインセンサー２５５への入射量が低減されるため、記録媒体Ｍにおいて読取範囲Ｒの外側に記録された画像の影響を抑制してより適正に画像を読み取ることができる。
【００６６】
また、スリット２５１ａは、記録媒体ＭにおけるＸ方向（所定の幅方向）についての画像の記録可能幅に亘って設けられている。この結果、スリット２５１ａを通った光が幅方向についての画像の全体に入射するため、ラインセンサー２５５により幅方向についての画像の全体を読み取ることができる。
【００６７】
また、ラインセンサー２５５は、スリット２５１ａの延在方向に沿って設けられたラインセンサーである。これにより、幅方向に延びるスリット２５１ａを通った光を検出して読取範囲Ｒの画像を効率良く読み取ることができる。
【００６８】
また、光源２５３から射出される光及び当該光の遮光部２５１における反射光の少なくとも一部を反射してスリット２５１ａに入射させる光反射面を有する反射板２５２を備える。このような構成により、スリット２５１ａを通過して記録媒体Ｍの面に入射する光の量を増大させることができるため、光源２５３から射出された光のうち画像読取部２５による読み取りに用いられる光の割合を向上させることができる。また、反射板２５２を備える画像読取部２５においては、記録媒体Ｍのうち読取範囲Ｒの外側の領域Ｓに向かう光の量が増大するが、遮光部２５１が設けられていることによりこの光を遮ることができるため、領域Ｓに記録された画像の影響を効果的に抑制して適正に画像を読み取ることができる。
ところで、従来、表面に凹凸を有する記録媒体Ｍに記録された画像を読み取る場合には、上記のような反射板２５２を用いず光源からの光を所定の入射角で直接記録媒体Ｍに照射して読み取りを行っていた。このような方法では、得られた撮像データに上記入射角に応じて記録媒体Ｍの凹凸の影による暗部が生じるため、記録された画像の明度に係る情報が適正に取得できないという課題があった。
これに対し、上記特徴を有する本実施形態の画像読取部２５では、反射板２５２の光反射面で反射した光が記録媒体Ｍの面に入射することにより、この記録媒体Ｍの面に入射する光が様々な入射角を有することとなる。この結果、画像読取部２５による撮像データにおいて記録媒体Ｍの表面における凹凸の影による暗部が生じにくくなるため、記録媒体Ｍに記録された画像の明度に係る情報をより正確に取得することができる。
【００６９】
また、遮光部２５１は、当該遮光部２５１の記録媒体Ｍ側とは反対側の表面（上面）に入射する光を拡散反射させる。このような構成により、遮光部２５１の上面に入射して拡散反射した光を反射板２５２で反射させて再利用し、その一部をスリット２５１ａに入射させることができる。これにより、光源２５３から射出された光の利用効率を向上させることができる。また、記録媒体Ｍの面に対してより多様な入射角の光を入射させることができるため、記録媒体Ｍの表面の凹凸による影の発生をさらに抑制することができる。
【００７０】
また、反射板２５２の光反射面は、入射光を拡散反射させる。これにより、記録媒体Ｍの面に対してより多様な入射角の光を入射させることができるため、記録媒体Ｍの表面の凹凸による影の発生をさらに抑制することができる。
【００７１】
また、反射板２５２は、スリット２５１ａの延在方向と垂直な断面において光反射面がアーチ状である。これにより、反射板２５２の光反射面での反射光を様々な入射角でスリット２５１ａに入射させることができる。このため、画像読取部２５による撮像データにおいて記録媒体Ｍの表面における凹凸の影による暗部が生じにくく、記録媒体Ｍに記録された画像の明度に係る情報をより正確に取得することができる。また、記録媒体Ｍの面に対してより多様な入射角の光を入射させることができるため、記録媒体Ｍの表面の凹凸による影の発生をさらに抑制することができる。
【００７２】
また、スリット２５１ａの延在方向と直交する方向についてのスリット２５１ａの幅Ｌは、遮光部２５１におけるスリット２５１ａの記録媒体Ｍとは反対側の端部と記録媒体Ｍとの距離Ｄの２倍未満である。
記録媒体Ｍの凹凸により生じる影は、特に、記録媒体Ｍに対して大きな入射角で光が入射した場合に顕著となる。そこで、上記のようにＬ＜２Ｄの関係が成り立つような構成とすることにより、スリット２５１ａを通って記録媒体Ｍのうち読取範囲ＲのＹ方向の中央部に入射する光の入射角θが４５°未満となる。この結果、記録媒体Ｍの凹凸の影をより生じにくくして記録媒体Ｍに記録された画像の明度をより正確に取得することができる。
【００７３】
また、反射板２５２は、読取範囲からの反射光を通過させる開口部２５２ａを有し、ラインセンサー２５５は、この開口部２５２ａを通って入射した光の強度を検出する。このような構成によれば、反射板２５２のうち開口部２５２ａ近傍での反射光を読み取りに用いることができる。この反射光は、記録媒体Ｍに対する入射角が小さく記録媒体Ｍの表面の凹凸による影を生じさせにくいため、このような光を再利用して読み取りに用いることで記録媒体Ｍの表面の凹凸による影の発生をさらに抑制することができる。
【００７４】
また、画像が読み取られる対象となる記録媒体Ｍには、ラインセンサー２５５により読み取り可能な凹凸を有する記録媒体Ｍが含まれる。このような構成によれば、ラインセンサー２５５により記録媒体Ｍの表面の凹凸及びその影が読み取られるが、反射板２５２により記録媒体Ｍに対して多様な入射角の光を入射させることで当該凹凸による影の発生を抑制して記録媒体Ｍに記録された画像の明度に係る情報をより正確に取得することができる。
【００７５】
また、上記ラインセンサー２５５により読み取り可能な凹凸を有する記録媒体Ｍは、布帛及びエンボス加工が施された紙である。布帛やエンボス加工が施された紙は、表面の凹凸が大きくいため、通常、ラインセンサー２５５により表面の凹凸及びその影が読み取られるが、反射板２５２を有する本発明のインクジェット記録装置１によれば当該凹凸による影の発生を抑制して記録媒体Ｍに記録された画像の明度に係る情報をより正確に取得することができる。
【００７６】
また、画像読取装置は、記録媒体Ｍが少なくともラインセンサー２５５により画像を読み取られる間載置される載置面を有する搬送ベルト２１３を備え、載置面は、白色である。このような構成により、記録媒体Ｍが凹凸を有する場合において記録媒体Ｍの凹部を透過した光の載置面での反射率を高めることができるため、画像読取部２５による読取結果において当該凹部の明度が凸部の明度より低くなって凹部と対応する部分が暗部として表れる不具合を抑制することができる。
【００７７】
また、本実施形態に係るインクジェット記録装置１は、記録媒体Ｍに対してインクを吐出するヘッドユニット２３と、ヘッドユニット２３により記録媒体Ｍに対してインクを吐出させて画像を記録させる記録制御手段としてのＣＰＵ４１と、上記の画像読取部２５と、記録媒体Ｍと読取範囲Ｒとを相対移動させる搬送部２１と、を備え、ＣＰＵ４１は、搬送部２１により記録媒体Ｍと読取範囲Ｒとを相対移動させながら画像読取部２５により画像を読み取らせる（読取制御手段）。このような構成により、ヘッドユニット２３により画像が記録された記録媒体Ｍにおいて読取範囲Ｒの外側に記録された画像の影響を抑制して画像読取部２５により適正に画像を読み取ることができる。
【００７８】
また、搬送部２１は、記録媒体Ｍが少なくともラインセンサー２５５により画像を読み取られる間載置される載置面を有する搬送ベルト２１３を備え、載置面は、白色である。このような構成により、画像読取部２５による読取結果において当該凹部の明度が凸部の明度より低くなって凹部と対応する部分が暗部として表れる不具合を抑制することができる。
【００７９】
また、ＣＰＵ４１は、画像読取部２５による所定の検査画像の読取結果に基づいて記録媒体Ｍに記録される画像の画像データを補正する（補正手段）。これにより、ヘッドユニット２３におけるインクの吐出量のばらつきを補完して適正な画像を記録することができる。
【００８０】
（変形例）
次に、上記実施形態の変形例について説明する。
この変形例は、画像読取部において光源から射出された光が直接遮光部２５１及び記録媒体Ｍに照射される点で上記実施形態と異なる。その他の点は、上記実施形態と同様であるので、以下では上記実施形態との差異について説明する。
【００８１】
図８は、本変形例に係る画像読取部２５ａのＸ方向と垂直な面での模式断面図である。
画像読取部２５ａでは、広範囲に光を射出する拡散性照明からなる光源２５３ａがスリット２５１ａのＹＺ平面における斜め上方に配置されている。光源２５３ａから射出された光の一部は、スリット２５１ａを通って直接記録媒体Ｍの面に入射し、その反射光のうちスリット２５１ａを通った光がラインセンサー２５５の撮像素子２５４に入射する。このような構成を有する本変形例の画像読取部２５ａも、光源２５３ａから記録媒体Ｍの面に入射した光の反射光は、スリット２５１ａを除く部分からは射出されないため、記録媒体Ｍにおいて読取範囲Ｒの外側に記録された画像の影響を抑制して適正に画像を読み取ることができる。
なお、本変形例において、光源２５３ａは、複数設けられていても良い。また、光源２５３ａとしては、拡散性照明に代えて射出光の照射範囲が狭い高指向性照明が用いられても良い。
【００８２】
なお、本発明は、上記実施形態及び変形例に限られるものではなく、様々な変更が可能である。
例えば、上記実施形態及び変形例では、遮光部２５１のスリット２５１ａが当該遮光部２５１に開口を設けることにより形成されている例を用いて説明したが、スリットの態様はこれに限定されない。例えば、スリットは、遮光部の端部から切り欠きを設けることにより形成されていても良いし、遮光部が間隙を空けて配置された複数の遮光部材からなる場合において当該間隙により構成されていても良い。
【００８３】
また、上記実施形態及び変形例では、スリット２５１ａが遮光部２５１の面と垂直な方向（Ｚ方向）から見て読取範囲Ｒを包含する領域に設けられている例を用いて説明したが、これに限定する趣旨ではない。スリット２５１ａは、当該スリット２５１ａを通って記録媒体Ｍの読取範囲Ｒに入射した光の反射光が当該スリット２５１ａを通ってラインセンサー２５５に入射するような位置に設けられていれば良く、必ずしもＺ方向から見て読取範囲Ｒを包含するように設けられていなくても良い。例えば、記録媒体Ｍが指向性散乱特性を有している場合には、当該指向性散乱特性に応じて読取範囲Ｒとスリット２５１ａとがＺ方向から見て一部重ならないような位置関係となるように調整されても良い。
【００８４】
また、上記実施形態及び変形例では、遮光部２５１が板状の部材である例を用いて説明したが、遮光部２５１の構成はこれに限定されず、例えばＸ方向及び／又はＹ方向についての位置によりＺ方向の厚さが異なる部材であっても良い。
【００８５】
また、上記実施形態及び変形例では、光反射部としてＸ方向と垂直な面での断面における内面がアーチ状である反射板２５２を例に挙げて説明したが、光反射部の構成はこれに限定されない。例えば、光反射部の上記断面における内面がアーチ状以外の凹状であっても良く、例えば当該断面における内面が多角形の一部をなしていても良い。また、反射板２５２は、遮光部２５１との間で密閉空間を形成していなくても良く、例えば光源からの光を遮光部２５１に反射させる位置に設けられた板状の光反射板であっても良い。
【００８６】
また、上記実施形態及び変形例では、光反射部としての反射板２５２に光通過部としての開口部２５２ａが設けられている例を用いて説明したが、光通過部の態様はこれに限定されない。例えば、光通過部は、反射板２５２の端部から切り欠きを設けることにより形成されていても良いし、光反射部が間隙を空けて配置された複数の反射板からなる場合において当該間隙により構成されていても良い。
【００８７】
また、上記実施形態及び変形例では、画像データの補正の態様として、階調パターン６１を含む検査画像６０を記録して読み取ることにより各記録ヘッド２３２のインク吐出量のばらつきが解消されるように画像データを補正する例を用いて説明したが、これに限定する趣旨ではない。例えば、検査画像として単一の記録素子により各々記録された複数のラインからなるラインパターンを記録して、その読取結果からインク吐出不良の記録素子を特定し、当該吐出不良を補完するように画像データを補正しても良い。
【００８８】
また、上記実施形態及び変形例では、移動手段としての搬送部２１により記録媒体Ｍを搬送させながら画像読取部２５により画像を読み取る例を用いて説明したが、これに限定する趣旨ではない。例えば、記録媒体Ｍの位置を固定して画像読取部２５を移動手段により記録媒体Ｍに対して移動させながら画像を読み取る構成であっても良い。また、記録媒体Ｍの位置を固定して画像読取部２５を移動手段により記録媒体Ｍに対して主走査方向に移動させながら画像を読み取る主走査動作と、記録媒体Ｍを移動手段により副走査方向に移動させる副走査動作とが交互に行われることで画像が読み取られる態様であっても良い。
【００８９】
また、上記実施形態及び変形例では、搬送ベルト２１３を備える搬送部２１により記録媒体Ｍを搬送する例を用いて説明したが、これに限定する趣旨ではなく、搬送部２１は、例えば回転する搬送ドラムの外周面（載置面）上に記録媒体Ｍを載置して搬送するものであっても良い。この場合、画像読取部２５は、搬送ドラムの外周面の近傍に配置され、搬送ドラムにより搬送されている記録媒体Ｍに記録された画像を読み取る構成とされる。
【００９０】
また、上記実施形態及び変形例では、読取手段としてラインセンサー２５５が用いられている例を挙げて説明したが、これに代えて、例えばエリアセンサーが用いられても良い。
【００９１】
また、上記実施形態及び変形例では、シングルパス形式のインクジェット記録装置１を例に説明したが、記録ヘッドを走査させながら画像の記録を行うインクジェット記録装置に本発明を適用してもよい。
【００９２】
本発明のいくつかの実施形態を説明したが、本発明の範囲は、上述の実施の形態に限定されるものではなく、特許請求の範囲に記載された発明の範囲とその均等の範囲を含む。
【産業上の利用可能性】
【００９３】
本発明は、画像読取装置及びインクジェット記録装置に利用することができる。
【符号の説明】
【００９４】
１  インクジェット記録装置
２  外部装置
１０  給紙部
１１  給紙トレー
１２  媒体供給部
１３  受け渡しドラム
２０  画像記録部
２１  搬送部
２１１，２１２  搬送ローラー
２１３  搬送ベルト
２２  加熱部
２３  ヘッドユニット
２３１  記録ヘッド駆動部
２３２  記録ヘッド
２４  定着部
２５，２５ａ  画像読取部
２５１  遮光部
２５１ａ  スリット
２５２  反射板
２５２ａ  開口部
２５３，２５３ａ  光源
２５４  撮像素子
２５５  ラインセンサー
２５７  基板
３０  排紙部
３１  受け渡しドラム
３２  デリバリー部
３３  排紙トレー
４０  制御部
４１  ＣＰＵ
４２  ＲＡＭ
４３  ＲＯＭ
４４  記憶部
５１  搬送駆動部
５２  操作表示部
５３  インターフェース
５４  バス
６０  検査画像
Ｍ  記録媒体
Ｒ  読取範囲
【図１】
2017006975.tif 000003
【図２】
2017006975.tif 000004
【図３Ａ】
2017006975.tif 000005
【図３Ｂ】
2017006975.tif 000006
【図３Ｃ】
2017006975.tif 000007
【図４】
2017006975.tif 000008
【図５】
2017006975.tif 000009
【図６】
2017006975.tif 000010
【図７】
2017006975.tif 000011
【図８】
2017006975.tif 000012
【国際調査報告】
2017006975.tif 000013
2017006975.tif 000014
2017006975.tif 000015